(57)【要約】      （修正有）【課題】組立後に部品同士の相対的な位置関係を変えることができ、かつ部品同士が容易に外れないようにすることができる装身具又はキーホルダ用の組立部品を提供する。【解決手段】ばね部品の略筒状の第１の接続部に、取付部品１２の略Ｕ字形状の第２の接続部１２ａ、１２ｂ、１２ｃ、１２ｄが連結される。取付部品１２は、略Ｕ字形状の底部が外側に向けて突出するように、線材を折り曲げて形成される。取付部品１２は、中心軸Ａを対称軸として線対称な辺１２１、１２２を有する。【選択図】図４
0003199120.tif 000002
【実用新案登録請求の範囲】
【請求項１】
略筒状の第１の接続部を有する第１の部品と、
前記第１の接続部に連結される略Ｕ字形状の第２の接続部を複数有する第２の部品であって、線材を折り曲げて形成された第２の部品と、
を備え、
前記第２の部品は、前記略Ｕ字形状の底部が外側に向けて突出するように前記第２の接続部が連結されて形成され、
前記底部は、前記第２の接続部の中心軸に対して略９０度未満の第１の角度傾いた第１の辺と、前記第２の接続部の中心軸を対称軸として前記第１の辺に対して線対称な第２の辺と、を有することを特徴とする装身具又はキーホルダ用の組立部品。
【請求項２】
請求項１に記載の装身具又はキーホルダ用の組立部品であって、
前記底部は、前記線材を略円形に丸めた円形部分を有することを特徴とする装身具又はキーホルダ用の組立部品。
【請求項３】
請求項１又は２に記載の装身具又はキーホルダ用の組立部品であって、
前記第２の部品は、第１の平面上に前記第２の接続部が設けられると共に、前記第１の平面と略直交する第２の平面上に前記第２の接続部が設けられる
ことを特徴とする装身具又はキーホルダ用の組立部品。
【考案の詳細な説明】
【技術分野】
【０００１】
本考案は、装身具又はキーホルダ用の組立部品に関する。
【背景技術】
【０００２】
特許文献１には、筒状の第１の接続部が両端に形成された第１の部品と、第１の接続部に着脱可能に嵌合装着される第２の接続部が複数設けられた第２の部品と、を備える組立玩具が開示されている。この組立玩具においては、第１の接続部に第２の接続部を嵌合装着した後に、部品同士の相対的な位置関係を変えることができる。
【先行技術文献】
【特許文献】
【０００３】
【特許文献１】特開２０１４−１２１４５７号公報
【考案の概要】
【考案が解決しようとする課題】
【０００４】
しかしながら、特許文献１に記載の組立玩具においては、第１の接続部から第２の接続部を取り外す必要があるが、装身具又はキーホルダにおいては、第１の接続部から第２の接続部が外れることは好ましくない。
【０００５】
本考案はこのような事情に鑑みてなされたもので、組立後に部品同士の相対的な位置関係を変えることができ、かつ部品同士が容易に外れないようにすることができる装身具又はキーホルダ用の組立部品を提供することを目的とする。
【課題を解決するための手段】
【０００６】
本考案は上記の目的を達成するためになされたもので、装身具又はキーホルダ用の組立部品は、略筒状の第１の接続部を有する第１の部品と、前記第１の接続部に連結される略Ｕ字形状の第２の接続部を複数有する第２の部品であって、線材を折り曲げて形成された第２の部品と、を備え、前記第２の部品は、前記略Ｕ字形状の底部が外側に向けて突出するように前記第２の接続部が連結されて形成され、前記底部は、前記第２の接続部の中心軸に対して略９０度未満の第１の角度傾いた第１の辺と、前記第２の接続部の中心軸を対称軸として前記第１の辺に対して線対称な第２の辺と、を有することを特徴とする。これにより、第１の接続部と第２の接続部とを組み立てた後で、第１の部品と第２の部品との相対的な位置関係を変えることができ、かつ第１の部品と第２の部品とが容易に外れないようにすることができる。
【０００７】
ここで、前記底部は、前記線材を略円形に丸めた円形部分を有してもよい。これにより、第１の接続部と第２の接続部とをより外れにくくすることができる。
【０００８】
ここで、前記第２の部品は、第１の平面上に前記第２の接続部が設けられると共に、前記第１の平面と略直交する第２の平面上に前記第２の接続部が設けられてもよい。これにより、様々な立体形状の装身具やキーホルダを組み立てることができる。
【考案の効果】
【０００９】
組立後に部品同士の相対的な位置関係を変えることができ、かつ部品同士が容易に外れないようにすることができる。
【図面の簡単な説明】
【００１０】
【図１】本考案の実施形態に係る装身具又はキーホルダであるボール型アクセサリー１の斜視図である。
【図２】ボール型アクセサリー１の部分拡大図である。
【図３】ばね部品１１の側面図であり、（Ａ）は全体図、（Ｂ）は取付部品１２との接続部分である接続部１１ａの部分拡大図である。
【図４】取付部品１２を示す全体斜視図である。
【図５】（Ａ）は、ばね部品１１と取付部品１２とを組み立てた状態を示す図であり、（Ｂ）は、ばね部品１１と取付部品１２とを組み立てる前の状態を示す図である。
【図６】（Ａ）、（Ｂ）は、取付部品１２の変形例であって、直交する２つの平面上に接続部が設けられる形態を示す。
【図７】第２の実施の形態にかかる装身具又はキーホルダにおける取付部品２２を示す概略図である。
【図８】（Ａ）、（Ｂ）、（Ｃ）、（Ｄ）、（Ｅ）は、取付部品２２の接続部２２ａの変形例を示す図である。
【考案を実施するための形態】
【００１１】
以下、本考案の一実施形態について図面を参照しながら説明する。
【００１２】
＜第１の実施の形態＞
図１は、本考案の実施形態に係る装身具又はキーホルダであるボール型アクセサリー１の斜視図である。ボール型アクセサリー１は、ばね部品１１と、取付部品１２とを有する。本実施の形態では、装身具又はキーホルダとしてボール型アクセサリー１を例示しているが、本考案は、指輪やネックレス、ペンダント、イヤリング、ブローチ等の装身具や、キーホルダを組み立てるのに用いる組立部品に適用可能である。
【００１３】
図２は、ボール型アクセサリー１の部分拡大図である。ばね部品１１は、略筒状の部品である。取付部品１２は、線材を折り曲げて形成される部品であり、ばね部品１１に連結される。図２においては、１つの取付部品１２に対して４個のばね部品１１が設けられる。４個のばね部品１１は、左右、紙面奥側（図示せず）及び紙面手前側の４箇所に設けられる。以下、ばね部品１１及び取付部品１２について詳細に説明する。
【００１４】
図３は、ばね部品１１の側面図であり、（Ａ）は全体図、（Ｂ）は取付部品１２との接続部分である接続部１１ａの部分拡大図である。
【００１５】
ばね部品１１は、略筒状であり、例えば線材を螺旋上に巻回して形成されたコイルばねである。線材としては、例えば、ステンレス（ＳＵＳ３０４）等の金属を用いることができる。説明上、ばね部品１１の両端の取付部品１２との接続部分を接続部１１ａとし、２個の接続部１１ａの間を連結部１１ｂとする。
【００１６】
接続部１１ａは、図３（Ａ）に示すように、ばね部品１１の両端に設けられる。接続部１１ａの内部には、取付部品１２が嵌め合わされる（後に詳述）。接続部１１ａは、図３（Ｂ）に示すように、外側の端の先端部１１ｃの径（内径及び外径）が、連結部１１ｂ側の端の嵌合部１１ｄの径（内径及び外径）より細くなるように形成される。なお、図３（Ｂ）では、左側にある連結部１１ｂが省略されている。
【００１７】
また、接続部１１ａは、組立性をよくするため、先端部１１ｃ及び嵌合部１１ｄが３巻程度、先端部１１ｃと嵌合部１１ｄとの連結部が１．５巻程度で形成される。先端部１１ｃと嵌合部１１ｄとの連結部は、先端部１１ｃと嵌合部１１ｄとが自然につながるようにテーパ形状となっている。
【００１８】
本実施の形態では、略筒状の接続部１１ａと略筒状の連結部１１ｂとで一体のコイルばねを形成している。ただし、連結部１１ｂは、ばね部品１１の両端の接続部１１ａを連結すればよく、連結部１１ｂの形状はコイルばねには限られない。例えば、連結部１１ｂが１本の棒であり、その棒の両端に連結部１１ｂが設けられていてもよい。
【００１９】
図４は、取付部品１２を示す全体斜視図である。取付部品１２は、接続部１１ａに連結される４個の接続部１２ａ、１２ｂ、１２ｃ、１２ｄを有する。以下、単に取付部品１２の接続部という場合は、取付部品１２に形成される任意の接続部を示す場合であり、接続部１２ａ、１２ｂ、１２ｃ、１２ｄのうちの特定のものに限定しない場合である。
【００２０】
接続部１２ａ、１２ｂ、１２ｃ、１２ｄは、略同一形状であり、略Ｕ字形状に形成される。１本の線材を折り曲げて接続部１２ａ、１２ｂ、１２ｃ、１２ｄを一体形成することで、取付部品１２が形成される。
【００２１】
接続部１２ａ、１２ｂ、１２ｃ、１２ｄにおける略Ｕ字形状の底部、すなわち接続部１２ａ、１２ｂ、１２ｃ、１２ｄの先端は、接続部１２ａ、１２ｂ、１２ｃ、１２ｄの中心軸Ａに対して略９０度未満の第１の角度傾いた辺と、この辺と中心軸Ａを対称軸として線対称な辺と、を有する。接続部１２ａを例に説明すると、接続部１２ａの先端には、中心軸Ａに対して略９０度未満の角度θだけ傾いた辺１２１と、中心軸Ａを対称軸として辺１２１と線対称な辺１２２と、を有する。
【００２２】
ここで、線対称とは、中心軸Ａと辺１２１とのなす角度と、中心軸Ａと辺１２２とのなす角度とが同一の場合のみでなく、数度程度の誤差がある場合を含む。
【００２３】
また、接続部１２ａ、１２ｂ、１２ｃ、１２ｄにおける略Ｕ字形状の底部には、線材を略円形に丸めた円形部分１２ｅが形成される。ここで、略Ｕ字形状とは、底部が円弧形状で形成されている場合や底部の一部に直線を含んで形成されている場合を含むものであり、かつこのような底部に円形部分１２ｅが形成されている場合を含む概念である。
【００２４】
４個の接続部１２ａ、１２ｂ、１２ｃ、１２ｄは、略Ｕ字形状の底部の両端に形成された棒状部（底部の両端に接続されている棒状の部分）である辺１２３、１２４のうちの少なくとも１つが、他の接続部と連結されることで、接続部１２ａ、１２ｂ、１２ｃ、１２ｄが１個の取付部品１２として一体化される。
【００２５】
例えば、接続部１２ａの棒状部である辺１２４は、接続部１２ｂの棒状部である辺１２３と連結される。このように、棒状部同士を連結することで、４個の接続部１２ａ、１２ｂ、１２ｃ、１２ｄにおける略Ｕ字形状の底部が外側に向けて突出する。
【００２６】
なお、略Ｕ字形状には、棒状部が曲がっている場合も、曲がっていない場合も含むものとする。例えば、接続部１２ｃは、棒状部が略くの字状に折れ曲がっているが、これも略Ｕ字形状に含まれる。
【００２７】
取付部品１２の接続部は、略直交する２つの平面上に設けられる。図４に示す取付部品１２では、接続部１２ａ、１２ｂは、ｘｙ平面上に設けられ、接続部１２ｃ、１２ｄは、ｘｙ平面と略直交する平面であるｘｚ平面上に設けられる。これにより、様々な立体形状の装身具やキーホルダを組み立てることができる。
【００２８】
なお、本実施の形態では、４個の接続部１２ａ、１２ｂ、１２ｃ、１２ｄを有したが、取付部品１２の接続部の数はこれに限定されない。例えば、取付部品１２の接続部の数は複数であればよく、例えば、２個でもよいし、３個でもよい。
【００２９】
次に、ばね部品１１及び取付部品１２を組み立てる方法について説明する。図５（Ａ）は、ばね部品１１と取付部品１２とを組み立てた状態を示す図である。図５（Ｂ）は、ばね部品１１と取付部品１２とを組み立てる前の状態を示す図である。
【００３０】
図５（Ａ）に示すように、取付部品１２の接続部（ここでは、接続部１２ａを例示）を、ばね部品１１の接続部１１ａの内部に挿入させる。ばね部品１１はコイル形状であり、径方向及び軸方向に変形可能である。したがって、ユーザは、ばね部品１１と取付部品１２とを容易に組み立てられる。なお、接続部１２ａは、先端（略Ｕ字形状の底の部分）の幅ｗ１が、ばね部品１１の先端部１１ｃの内径ｘより大きい（図５（Ｂ）参照）が、ばね部品１１が径方向及び軸方向に変形可能であるため、組立は容易である。
【００３１】
接続部１１ａの内側は、略円筒形（端部が細い円筒形）に形成される。したがって、ばね部品１１と取付部品１２とを組み立てた状態において、ばね部品１１は取付部品１２に対してばね部品１１の中心軸を中心に回転可能である。
【００３２】
取付部品１２をばね部品１１に対して回転させると、ばね部品１１と取付部品１２との相対的な位置関係が変わる。したがって、装身具又はキーホルダの組み立てにおける自由度を大きくすることができる。そのため、ユーザが想像力を働かせることができ、ユーザの興味を引き付けることができる。
【００３３】
なお、図５（Ａ）において、接続部１２ａが挿入されていない接続部１１ａにも、取付部品１２の接続部が取り付け可能である。こちらについても、取付部品１２をばね部品１１に対して回転させると、ばね部品１１と取付部品１２との相対的な位置関係を変えることができる。
【００３４】
接続部１２ａが接続部１１ａに完全に挿入された状態では、図５（Ａ）に示すように、接続部１２ａ全体が接続部１１ａの内側に嵌合される。そして、接続部１２ａに形成された円形部分１１ｅは、嵌合部１１ｄ（図５（Ｂ）参照）に嵌合する。
【００３５】
図５（Ｂ）に示すように、接続部１２ａの先端の幅ｗ１は、根元（略Ｕ字形状の２つの端の部分）の幅ｗ２より大きい。また、先端部１１ｃの内径ｘは、嵌合部１１ｄの内径ｙより細く、かつ接続部１２ａの幅ｗ１より細い。したがって、取付部品１２がばね部品１１から抜けることを防止することができる。
【００３６】
さらに、接続部１２ａの先端に円形部分１２ｅが形成されているため、接続部１２ａが接続部１１ａに完全に挿入された状態では、接続部１２ａは変形しにくい。したがって、取付部品１２がばね部品１１から抜けないようにすることができる。
【００３７】
本実施の形態によれば、接続部１１ａと接続部１２ａとを組み立てた後で、ばね部品１１と取付部品１２との相対的な位置関係を変えることができ、かつばね部品１１と取付部品１２とが容易に外れないようにすることができる。特に、接続部１２ａの先端に円形部分１２ｅが形成されているため、接続部１１ａから接続部１２ａが容易に抜けないようにすることができる。
【００３８】
また、本実施の形態では、ばね部品を用いて装身具又はキーホルダ用の組立部品を作るため、完成した装身具又はキーホルダの形状に他の装身具又はキーホルダにはない特徴を持たせることができる。
【００３９】
なお、本実施の形態では、ばね部品１１は両端に接続部１１ａが設けられたが、バネ部材の一端に接続部１１ａが設けられ、他の端部に接続部１２ａが設けられてもよい。
【００４０】
また、本実施の形態では、４個の接続部のうちの接続部１２ａ、１２ｂがｘｙ平面上に設けられ、接続部１２ｃ、１２ｄがｘｚ平面上に設けられたが、取付部品１２の形態はこれに限られない。図６は、取付部品１２の変形例であって、直交する２つの平面上に接続部が設けられる形態を示す。
【００４１】
図６（Ａ）、（Ｂ）は、取付部品１２の２つの接続部が、ｘｙ平面と、ｘｙ平面と略直交する平面とに１つずつ設けられる形態である。図６（Ａ）の取付部品１２Ａは、接続部１２ａがｘｙ平面に設けられ、接続部１２ｄがｘｚ平面に設けられる。図６（Ｂ）の取付部品１２Ｂは、接続部１２ａがｘｙ平面に設けられ、接続部１２ｄがｙｚ平面に設けられる。また、例えば、図６（Ｂ）に示す状態から接続部１２ｄをｚ軸を中心に４５度回転させた形態も、直交する２つの平面上に接続部が設けられる形態に含まれる。
【００４２】
ただし、各平面に設けられる取付部品１２の接続部の数は１個（取付部品１２Ａ、１２Ｂ）又は２個（取付部品１２）に限られない。例えば、取付部品１２と同様にｘｙ平面に２個の接続部が設けられ、ｘｚ平面に３個の接続部が設けられた取付部品も考えられる。
【００４３】
また、本実施の形態では、接続部が直交する２つの平面上に設けられたが、接続部は直交する２つの平面上に設けられる場合に限られない。例えば、２つの接続部がｘｙ平面上にのみ設けられてもよい（取付部品１２の接続部１２ａ、２１ｂのみの形態）。
【００４４】
＜第２の実施の形態＞
第１の実施の形態では、取付部品１２における略Ｕ字形状の底部には円形部分１２ｅが形成されたが、円形部分１２ｅは必須ではない。
【００４５】
本発明の第２の実施の形態は、円形部分１２ｅを有しない形態である。以下、第２の実施の形態にかかる装身具又はキーホルダについて説明する。第１の実施の形態の装身具又はキーホルダと、第２の実施の形態の装身具又はキーホルダとの差異は、取付部品のみである。したがって、以下、第２の実施の形態の装身具又はキーホルダについては、取付部品についてのみ説明し、第１の実施の形態と同一の部分については説明を省略する。
【００４６】
第２の実施の形態の装身具又はキーホルダは、ばね部品１１と、取付部品２２とを有する。図７は、取付部品２２を示す概略図である。取付部品２２は、接続部１１ａに連結される複数の接続部である３個の接続部である接続部２２ａ、２２ｂ、２２ｃを有する。以下、単に取付部品２２の接続部という場合は、取付部品２２に形成される任意の接続部を示す場合であり、接続部２２ａ、２２ｂ、２２ｃのうちの特定のものに限定しない場合である。
【００４７】
接続部２２ａ、２２ｂ、２２ｃは、略同一形状であり、略Ｕ字形状に形成される。１本の線材を折り曲げて接続部２２ａ、２２ｂ、２２ｃを一体形成することで、取付部品２２が形成される。
【００４８】
接続部２２ａ、２２ｂ、２２ｃにおける略Ｕ字形状の底部、すなわち接続部２２ａ、２２ｂ、２２ｃの先端は、接続部２２ａ、２２ｂ、２２ｃの中心軸Ａに対して略９０度未満の第１の角度傾いた辺と、この辺と中心軸Ａを対称軸として線対称な辺と、を有する。接続部２２ａを例に説明すると、接続部２２ａの先端は、中心軸Ａに対して略９０度未満の角度θだけ傾いた辺２２１と、中心軸Ａを対称軸として辺２２１と線対称な辺２２２と、を有する。
【００４９】
辺２２１及び辺２２２は隣接しており、これらの接点が略Ｕ字形状の底部となる。辺２２１及び辺２２２は、それぞれ棒状部である辺２２３、２２４に連結される。ある接続部の棒状部のうちの少なくとも１つが、他の接続部の棒状部と連結されることで、接続部２２ａ、２２ｂ、２２ｃが１個の取付部品２２として一体化される。また、ある接続部の棒状部のうちの少なくとも１つが、他の接続部の棒状部と連結されることで接続部２２ａ、２２ｂ、２２ｃは、略Ｕ字形状の底部が外側に向けて突出する。
【００５０】
接続部２２ａ、２２ｂ、２２ｃの先端の幅ｗ３は、根元（略Ｕ字形状の２つの端の部分）の幅ｗ４より大きい。したがって、取付部品２２がばね部品１１から抜けることを防止することができる。また、接続部２２ａは、先端の幅ｗ３が、ばね部品１１の先端部１１ｃの内径ｘより大きい。
【００５１】
本実施の形態によれば、接続部１１ａと接続部２２ａ、２２ｂ、２２ｃとを組み立てた後で、ばね部品１１と取付部品２２との相対的な位置関係を変えることができ、かつばね部品１１と取付部品２２とが容易に外れないようにすることができる。
【００５２】
なお、本実施の形態についても、第１の実施の形態と同様に、取付部品２２の接続部の数は３個に限られない。取付部品２２は接続部が３個の略Ｔ字形状であるが、取付部品は、接続部２２ａ、２２ｃのみを有する略Ｉ字形状としてもよいし、接続部２２ａ、２２ｂのみを有する略Ｌ字形状としてもよい。また、接続部２２ｂの反対側に更に接続部を設け、略十字形状の取付部品としてもよい。
【００５３】
また、本実施の形態の接続部２２ａ、２２ｂ、２２ｃは、中心軸Ａを対称軸として線対称な辺２２１と辺２２２とを有したが、線対称な辺を有する接続部の形態はこれに限られない。図８は、取付部品２２の接続部２２ａの変形例を示す図である。
【００５４】
図８（Ａ）に示す接続部２２ａ−１は、棒状部に相当する２つの辺２２３−１、２２４−１が平行であり、先端の幅と根元の幅とが同一である。図８（Ｂ）に示す接続部２２ａ−２は、線対称な辺２２１と辺２２２との間に、中心軸Ａと直交する辺２２５が形成された形態である。なお、辺２２１と辺２２２との間に形成される辺は、辺２２５に限られず、例えば、中心軸Ａと直交しなくてもよいし、曲線でもよい。
【００５５】
図８（Ｃ）、（Ｄ）に示す接続部２２ａ−３、接続部２２ａ−４は、６本の辺で構成されている。図８（Ｃ）に示す接続部２２ａ−３は、２本の棒状部に相当する辺２２３−１、２２４−１が平行であり、辺２２３−１、２２４−１の辺２２１又は辺２２２と対向する側に、中心軸Ａを対称軸として線対称な辺２２６、２２７を有する形態である。図８（Ｄ）に示す接続部２２ａ−４は、辺２２１、２２８、２２９と、中心軸Ａを対称軸として辺２２１、２２８、２２９と線対称な辺２２２、２３０、２３１と、を有する形態である。辺２２９、２３１は、それぞれ棒状部に相当する。
【００５６】
図８（Ｅ）に示す接続部２２ａ−５は、８本の辺で構成されている。図８（Ｅ）に示す接続部２２ａ−５は、辺２２１、２２８、２２９、２３２と、中心軸Ａを対称軸として辺２２１、２２８、２２９、２３２と線対称な辺２２２、２３０、２３１、２３３と、を有する形態である。辺２２９及び辺２３２と、辺２３１及び辺２３３とは、それぞれ棒状部に相当する。
【００５７】
接続部２２ａ−１、２２ａ−２、２２ａ−３、２２ａ−４、２２ａ−５は、最も広い部分の幅ｗ３が、ばね部品１１の先端部１１ｃの内径ｘより大きくなるように形成することが望ましい。
【００５８】
また、本実施の形態では、取付部品２２の接続部２２ａ、２２ｂ、２２ｃがｘｙ平面上に配置されているが、取付部品２２の接続部を直交する２つの平面上に配置してもよい。例えば、接続部２２ａ、２２ｃをｘｙ平面上に配置し、接続部２２ｂをｙｚ平面上に配置してもよい。
【００５９】
以上、この考案の実施形態を、図面を参照して詳述してきたが、具体的な構成はこの実施形態に限られるものではなく、この考案の要旨を逸脱しない範囲の設計変更等も含まれる。当業者であれば、実施形態の各要素を、適宜、変更、追加、変換等することが可能である。
【００６０】
また、本考案において、「略」とは、厳密に同一である場合のみでなく、同一性を失わない程度の誤差や変形を含む概念である。例えば、略直交とは、厳密に直交する場合には限られず、同一性を失わない程度の誤差を含む概念である。また、例えば、単に直交と表現する場合において、厳密に直交する場合のみでなく、略直交の場合を含むものとする。
【符号の説明】
【００６１】
１          ：ボール型アクセサリー
１１        ：ばね部品
１１ａ      ：接続部
１１ｂ      ：連結部
１１ｃ      ：先端部
１１ｄ      ：嵌合部
１１ｅ      ：円形部分
１２        ：取付部品
１２Ａ      ：取付部品
１２Ｂ      ：取付部品
１２ａ      ：接続部
１２ｂ      ：接続部
１２ｃ      ：接続部
１２ｄ      ：接続部
１２ｅ      ：円形部分
２１ｂ      ：接続部
２２        ：取付部品
２２ａ      ：接続部
２２ａ−１  ：接続部
２２ａ−２  ：接続部
２２ａ−３  ：接続部
２２ａ−４  ：接続部
２２ａ−５  ：接続部
２２ｂ      ：接続部
２２ｃ      ：接続部
１２１      ：辺
１２２      ：辺
１２３      ：辺
１２４      ：辺
２２１      ：辺
２２２      ：辺
２２３      ：辺
２２３−１  ：辺
２２４      ：辺
２２５      ：辺
２２６      ：辺
２２７      ：辺
２２８      ：辺
２２９      ：辺
２３０      ：辺
２３１      ：辺
２３２      ：辺
２３３      ：辺
【図１】
0003199120.tif 000003
【図２】
0003199120.tif 000004
【図３】
0003199120.tif 000005
【図４】
0003199120.tif 000006
【図５】
0003199120.tif 000007
【図６】
0003199120.tif 000008
【図７】
0003199120.tif 000009
【図８】
0003199120.tif 000010